(57)【要約】【課題】  内面ドラムの内周面上に、任意のサイズの薄板状記録媒体をその全面に渡って密着させるように、簡素で廉価な構成で真空吸着可能とした内面ドラム型画像形成装置を提供する。【解決手段】  内面ドラム３４に形成された半円弧状の内周面に薄板状の記録媒体２２を保持し、画像情報に応じて変調された光ビームを光偏向器で偏向して走査露光することにより画像を記録する内面ドラム型画像形成装置において、内面ドラム３４の内周面部分に円周に沿うよう複数の真空吸着用の溝を穿設し、この真空吸着用の溝における、記録媒体の搬送方向先端側に連通して空気を吸引するため真空引き穴を穿孔し、内面ドラムの内周面上に記録媒体２２を真空吸着させた状態で、記録媒体２２の搬送方向後端部を浮上防止装置５８で内面ドラム３４の内周面上に押さえ付けることにより、記録媒体２２が全面に渡って内面ドラム２２の内周面上に密着される状態を保持する。【選択図】  図７
2006227509.tif 000002
【特許請求の範囲】
【請求項１】
内面ドラムに形成された内周面に薄板状の記録媒体を保持し、画像情報に応じて変調された光ビームを光偏向器で偏向して走査露光することにより画像を記録する内面ドラム型画像形成装置において、
前記内面ドラムの内周面部分に円周に沿うよう複数穿設された真空吸着用の溝と、
前記真空吸着用の溝における、記録媒体の搬送方向先端側に連通して空気を吸引するため穿孔された真空引き穴と、
前記内面ドラムの内周面上に記録媒体を真空吸着させた状態で、当該記録媒体の搬送方向後端部を前記内面ドラムの内周面上に押さえ付ける浮上防止装置と、
を有することを特徴とする内面ドラム型画像形成装置。
【請求項２】
前記浮上防止装置を、前記内面ドラムの内周面上に記録媒体をロードするための押し操作手段に装着したことを特徴とする請求項１に記載の内面ドラム型画像形成装置。
【請求項３】
前記浮上防止装置が、小型の保持部材を複数配置するように構成されていることを特徴とする請求項１又は請求項２に記載の内面ドラム型画像形成装置。
【請求項４】
前記浮上防止装置が、前記記録媒体の幅方向全長以上に渡る一体構造の部材として構成されている前記保持部材を具備することを特徴とする請求項１乃至請求項３の何れか１項に記載の内面ドラム型画像形成装置。
【請求項５】
前記浮上防止装置が、前記記録媒体の幅方向全長以上に渡り、かつ搬送方向後端部で浮き上がり易い領域を包含する以上の搬送方向の長さを持つ一体構造の部材として構成されている前記保持部材を具備することを特徴とする請求項１乃至請求項３の何れか１項に記載の内面ドラム型画像形成装置。
【請求項６】
前記浮上防止装置が、前記記録媒体の搬送方向後端で露呈する前記真空吸着用の溝を塞ぐ栓体部分を設けた閉塞部材を具備することを特徴とする請求項１又は請求項２に記載の内面ドラム型画像形成装置。
【発明の詳細な説明】
【技術分野】
【０００１】
この発明は、内面ドラムの内円周面上に密着して配置された薄板状の記録媒体上に、スピナーミラー装置によって走査露光を行う、内面ドラム型画像形成装置に関する。
【背景技術】
【０００２】
一般に、オフセット印刷には、感光性印刷版（いわゆるＰＳ版）が利用されている。また、この平版印刷の分野では、未露光の感光性印刷版の供給を受けて、この感光性印刷版に対しコンピュータ等のデジタルデータに基づいて、内面ドラム型画像形成装置を利用してレーザ露光処理をし、自動現像機で感光性印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
この内面ドラム型画像形成装置は、画像情報に基づいて変調される光ビームを偏向させる光偏向器を、光ビームの光軸回りに定速回転させて内面ドラムのラジアル方向に主走査すると共に、光軸（内面ドラムの中心軸方向）に沿って定速移動させて副走査し、内面ドラムの内周面上に密着して装填された薄板状（シート状）の記録媒体に対して画像を形成する。よって、内面ドラム型画像形成装置では、画像記録用の光ビームを、内面ドラムの内周面上に配置された薄板状の記録媒体の表面に合焦させた状態を保持して走査露光することが要求される。
【０００４】
また、平版印刷の分野で用いるＰＳ版は、様々な寸法のものが使用されている。これに対して、内面ドラム型画像形成装置では、種々の寸法に形成されたＰＳ版を内面ドラムの内周面上に密着させて配置することにより、正確に合焦させ得る状態を保持して走査露光することが要求される。
【０００５】
このため従来の内面ドラム型画像形成装置には、あらゆる寸法のＰＳ版を内面ドラムの内周面上に密着させて配置するため、内面ドラム部分に複数の独立した吸着エリアを構成するよう真空溝を内面の円周方向に断続的に形成し、これら各吸着エリアの真空溝にそれぞれ配管を連結してＰＳ版の寸法に応じて選択された吸着エリアによって真空リークを防止して真空吸着を行わせる真空吸着手段を設ける。そして、ある寸法のＰＳ版を内面に吸着するに当たって、真空吸着手段は、ＰＳ版の寸法に応じて、複数の吸着エリアの中から最適な吸着エリアを選択し、選択した吸着エリア内の真空溝を介してこのＰＳ版の真空吸着を行うものが提案されている（例えば、特許文献１参照。）。
【０００６】
さらに、従来の内面ドラム型画像形成装置では、内面ドラム上にＰＳ版を搬入した後に、スクィジィローラをＰＳ版の表面に転接させてＰＳ版を内面ドラムの表面上に隙間無く押し付けるようにする手段が提案されている（例えば、特許文献２参照。）。
【０００７】
また、従来の内面ドラム型画像形成装置には、内面ドラムの円周方向に沿って穿設した吸着溝の断面形状を、吸着力を均一にするよう変更して構成する手段が提案されている（例えば、特許文献３参照。）。
【０００８】
しかし、このような内面ドラム型画像形成装置で、真空吸着手段が、ＰＳ版の寸法に応じて選択した吸着エリア内の真空溝を介してＰＳ版の真空吸着を行うよう構成する場合には、真空吸着手段が流路を切り替えるために多数のバルブを用いる必要があり、内面ドラム型画像形成装置が高価となってしまうという問題がある。
【０００９】
また、内面ドラム型画像形成装置では、ＰＳ版の一部が内面ドラムの内周面から浮いた状態となると、画像情報に基づいて変調される光ビームを光偏向器で偏向させて走査露光する際に、内面ドラムの内周面から浮いた状態となったＰＳ版の一部に正確に合焦させることができなくなり、形成される画像がいわゆるピンぼけとなる。
【００１０】
さらに、内面ドラム型画像形成装置では、ＰＳ版が内面ドラムの内周面から浮いた状態になっても走査露光する光ビームの焦点が合うように、光ビームの焦点深度を大きくとることが考えられるが、そのためには光ビームのビーム径を大きくしなければならないので、ＰＳ版に高解像な画像を形成することができなくなる。
【特許文献１】実開平７−３９１６５号公報
【特許文献２】特開平８−２４２３４０号公報
【特許文献３】米国特許ＵＳ６２４５０９１
【発明の開示】
【発明が解決しようとする課題】
【００１１】
本発明は、上述の問題に鑑み、内面ドラムの内周面上に、任意のサイズの薄板状記録媒体をその全面に渡って密着させるように、バルブ等の高価な部品を用いる事無く簡素で廉価な構成で真空吸着可能とした内面ドラム型画像形成装置を新たに提供することを目的とする。
【課題を解決するための手段】
【００１２】
本発明の請求項１に記載の内面ドラム型画像形成装置は、内面ドラムに形成された半円弧状の内周面に薄板状の記録媒体を保持し、画像情報に応じて変調された光ビームを光偏向器で偏向して走査露光することにより画像を記録する内面ドラム型画像形成装置において、内面ドラムの内周面部分に円周に沿うよう複数穿設された真空吸着用の溝と、真空吸着用の溝における、記録媒体の搬送方向先端側に連通して空気を吸引するため穿孔された真空引き穴と、内面ドラムの内周面上に記録媒体を真空吸着させた状態で、記録媒体の搬送方向後端部の画像を形成しない範囲を内面ドラムの内周面上に押さえ付ける浮上防止装置と、を有することを特徴とする。
【００１３】
上述のように構成することにより、浮上防止装置が記録媒体の搬送方向後端部の画像を形成しない範囲を内面ドラムの内周面上に押し当てることによって、記録媒体が全面に渡って内面ドラムの内周面上に密着される状態を保持できる。よって、内面ドラムの内周面上に密着させて配置された記録媒体に対して正確に合焦させて走査露光することができる。
【００１４】
請求項２に記載の発明は、請求項１に記載の内面ドラム型画像形成装置において、浮上防止装置を、内面ドラムの内周面上に記録媒体をロードするための押し操作手段に装着したことを特徴とする。
【００１５】
上述のように構成することにより、請求項１に記載の発明の作用、効果に加えて、押し操作手段によって、浮上防止装置を内面ドラムの内周面上にロードされた記録媒体の搬送方向後端側位置へ移動させることができるので、内面ドラム型画像形成装置の構成を簡素にし廉価に製造可能とする。
【００１６】
請求項３に記載の発明は、請求項１又は請求項２に記載の内面ドラム型画像形成装置において、浮上防止装置が、小型の保持部材を複数配置するように構成されていることを特徴とする。
【００１７】
上述のように構成することにより、請求項１又は請求項２に記載の発明の作用、効果に加えて、浮上防止装置における複数の小型保持部材によって、内面ドラムの内周面上にロードされた記録媒体の搬送方向後端部の要所を押さえて記録媒体が全面に渡って内面ドラムの内周面上に密着される状態を保持できる。このため、例えば記録媒体の搬送方向後端部の全幅に渡る大型の保持部材によって記録媒体の搬送方向後端部を全幅に渡って押さえるように構成したものと比較して、浮上防止装置における複数の小型保持部材により記録媒体の搬送方向後端部における複数の必要箇所だけを押さえることにより記録媒体を全面に渡って内面ドラムの内周面上に密着させられるので、記録媒体の全幅に渡る大型の保持部材における無駄な部分を無くして保持部材を小型化することができる。
【００１８】
請求項４に記載の発明は、請求項１乃至請求項３の何れか１項に記載の内面ドラム型画像形成装置において、浮上防止装置が、記録媒体の幅方向全長以上に渡る一体構造の部材として構成されている保持部材を具備することを特徴とする。
【００１９】
上述のように構成することにより、請求項１乃至請求項３の何れか１項に記載の発明の作用、効果に加えて、浮上防止装置における保持部材が、記録媒体の幅方向全長以上に渡って、内面ドラムの内周面上にロードされた記録媒体の搬送方向後端部を隙間なく安定して押さえて記録媒体が全面に渡って内面ドラムの内周面上に密着される状態を保持できる。
【００２０】
請求項５に記載の発明は、請求項１乃至請求項３の何れか１項に記載の内面ドラム型画像形成装置において、浮上防止装置が、記録媒体の幅方向全長以上に渡り、かつ搬送方向後端部で浮き上がり易い領域を包含する以上の搬送方向の長さを持つ一体構造の部材として構成されている保持部材を具備することを特徴とする。
【００２１】
上述のように構成することにより、請求項１乃至請求項３の何れか１項に記載の発明の作用、効果に加えて、浮上防止装置における保持部材が、記録媒体の幅方向全長以上に渡り、かつ搬送方向後端部で浮き上がり易い領域を包含する以上の搬送方向の長さに渡って、内面ドラムの内周面上にロードされた記録媒体の搬送方向後端辺に気密を保つように接続する状態となる。すなわち、この状態では、記録媒体の搬送方向後端辺に保持部材が接続して一体化し、記録媒体の搬送方向後端部の位置に当たる真空吸着用の溝部分に外気が流入しないように保持部材が塞いで真空吸着用の溝内を負圧に維持するから、記録媒体の搬送方向後端が真空吸着用の溝に吸引されて浮き上がりが防止される。よって、記録媒体は、全面に渡って真空吸着用の溝に真空吸着されて内面ドラムの内周面上に密着される状態となる。なお、この状態では、浮き上がり易い領域が、保持部材の搬送方向後端部に出現する。さらに、このように構成した場合には、保持部材が記録媒体の上を覆うことが無いので、記録媒体の全表面を露光処理可能となるから、余白を作らないようにいわゆる淵無し画像を形成することができる。
【００２２】
請求項６に記載の発明は、請求項１又は請求項２に記載の内面ドラム型画像形成装置において、浮上防止装置が、記録媒体の搬送方向後端で露呈する真空吸着用の溝を塞ぐ栓体部分を設けた閉塞部材を具備することを特徴とする。
【００２３】
上述のように構成することにより、請求項１又は請求項２に記載の発明の作用、効果に加えて、浮上防止装置における閉塞部材の栓体部分が、記録媒体の搬送方向後端で露呈する真空吸着用の溝を塞いで真空リークを防止することによって、内面ドラムの内周面上にロードされた記録媒体を全面に渡って内面ドラムの内周面上に密着される状態を保持できる。
【発明の効果】
【００２４】
本発明の内面ドラム型画像形成装置によれば、簡素で廉価な構成によって、内面ドラムの内周面上に、任意のサイズのシート状記録媒体をその全面に渡って密着させるように真空吸着できるという効果がある。
【発明を実施するための最良の形態】
【００２５】
本発明の内面ドラム型画像形成装置に関する実施の形態について、図１乃至図１０により説明する。本実施の形態に係わる内面ドラム型画像形成装置は、オフセット印刷用の感光性平版印刷版（いわゆるＰＳ版）を薄板状記録媒体とし、コンピュータ等のデジタルデータに基づいてレーザ露光処理をし、自動現像機で感光性平版印刷版上に形成された潜像を顕像に変換する現像処理をして直接印刷版を製版するＣＴＰ（Ｃｏｍｐｕｔｅｒ  ｔｏ  Ｐｌａｔｅ）システムに用いて好適なものである。
【００２６】
図１及び図２には、本実施の形態に係る、内面ドラム型画像形成装置（インナードラム露光装置）を備えたＣＴＰ（Ｃｏｍｐｕｔｅｒ  ｔｏ  Ｐｌａｔｅ）システムの概略構成が示されている。
【００２７】
このＣＴＰシステムは、印刷版供給カセット２０（図２に図示）の自動送給装置１０と、印刷版供給カセット２０内の感光性平版印刷版であるＰＳ版（薄板状記録媒体）２２を１枚づつ分離して供給する枚葉供給装置１２と、インナードラム露光装置１４と、バッファ装置１６と、現像処理装置１８とを備える。
【００２８】
このＣＴＰシステムでは、露光処理の対象とする薄板状記録媒体として、例えば薄いアルミニウム板である支持体上に感光材料を含有する画像記録層を形成したＰＳ版若しくはフォトポリマー版又は銀塩タイプの感光材料等を用いることができる。
【００２９】
図２に示すように、ＣＴＰシステムにおける自動送給装置１０は、外部から作業員が搬入した複数の印刷版供給カセット２０をそれぞれ保管棚２４上に保管し、所要の印刷版供給カセット２０を枚葉供給装置１２へ供給する。
【００３０】
この枚葉供給装置１２は、その遮光された装置内部において、供給された印刷版供給カセット２０の蓋を開放し、内部に収納されているＰＳ版２２の束を引き上げ機構２６で引き上げながら、分離ローラ２８で１枚づつ分離して内面ドラム型画像形成装置であるインナードラム露光装置１４へ供給する。なお、この枚葉供給装置１２には、重ねられたＰＳ版２２の間に感光面保護のため挟み込まれた合紙３０を分離してストックする合紙除去部３２を備える。
【００３１】
図２及び図３に示すように、ＣＴＰシステムにおけるインナードラム露光装置１４は、円弧内周面形状（円筒内周面の一部を構成する形状）の内面ドラム３４を母体として構成されており、未記録の記録媒体であるＰＳ版２２を搬入モジュール３５によって内面ドラム３４の内部に導入し、押し操作手段としてのプッシュバー３９（詳細は後述する）によって円周方向へ移動させＰＳ版２２の先端辺を位置決めピン４１に突き当てて位置決めするようロードしてから、後述する真空吸着手段により内面ドラム３４の内周面上に確実に密着し沿わせた状態に保持し、この保持状態で露光処理を行う。
【００３２】
このインナードラム露光装置１４では、ＰＳ版２２に露光処理を行うため、内面ドラム３４の円弧中心位置に、光ビーム偏向器としてのスピナーミラー装置３６を配設する。このスピナーミラー装置３６では、回転軸４０の先端に反射面（スピナーミラー）３８を設置する。なお、この反射面３８は、反射鏡部材である、例えばプリズム部材（三角柱状の直角プリズム又はキュービックプリズム、若しくはいわゆるボールプリズム等）で構成しても良い。
【００３３】
このスピナーミラー装置３６では、反射面３８が設けられた回転軸４０を、図示しない制御装置によってモーターを高速回転（例えば１０，０００ｒｐｍ以上）させることにより露光処理するよう構成する。このためスピナーミラー装置３６は、回転軸４０の回転中心軸を内面ドラム３４の円弧中心軸と一致するように配置する。
【００３４】
このスピナーミラー装置３６では、光源側の光学系から投射された光ビームを、回動する反射面３８に反射させてＰＳ版２２の感光面に対して主走査方向への走査露光を行う。
【００３５】
このスピナーミラー装置３６は、移動操作用のビーム３７（図３に図示）に移動制御可能に装着され、図示しない副走査移動手段によって、内面ドラム３４の円弧中心軸の軸線方向（図２の表面から裏面に貫通する方向）に等速度で移動制御されることにより副走査する。
【００３６】
このように構成されたスピナーミラー装置３６は、光源側の光学系から投射され画像情報に応じて変調された光ビームを、回動する反射面３８に反射させて主走査方向への走査露光を行いながら、スピナーミラー装置３６を副走査方向へ移動することによって、ＰＳ版２２の記録面（感光面）全面に対して２次元の画像を記録する処理を行う。
【００３７】
このようにしてインナードラム露光装置１４で露光処理されたＰＳ版２２は、搬出モジュール４３によって内面ドラム３４からバッファ装置１６へ搬出される。このバッファ装置１６は、露光処理済みのＰＳ版２２を、搬送速度を調整することによって所要のタイミングで現像処理装置１８へ搬入させる。
【００３８】
現像処理装置１８は、搬入されて来た露光済のＰＳ版２２に対する現像処理を行って潜像を顕像化し、印刷版の製版を完了する。
【００３９】
次に、インナードラム露光装置１４における内面ドラム３４の内周面上に、ＰＳ版２２を真空吸着するために設ける手段について説明する。
【００４０】
図４に示すように、このインナードラム露光装置１４では、ＰＳ版２２を真空吸着するため内面ドラム３４の内周面部分に、真空吸着用の溝５０を穿設する。この真空吸着用の溝５０は、内面ドラム３４の内周面部分における種々のサイズのＰＳ版２２を配置する範囲に渡って、複数本の真空吸着用の溝５０を内面ドラム３４の円周方向（ＰＳ版２２の搬送方向）に沿って、それぞれ平行に穿設する。
【００４１】
また、内面ドラム３４には、真空吸着用の溝５０における先端側所定位置の底面部に連通するよう、複数（本実施の形態では、２本）の真空引き穴５２を穿設する。この真空引き穴５２には、バルブ５４を介して図示しない真空ポンプを接続し、この真空ポンプを駆動してバルブ５４を開いたときに真空引き穴５２を通して真空吸着用の溝５０内から空気を吸引するよう構成する。
【００４２】
さらに、真空吸着用の溝５０は、真空引き穴５２から空気が吸引され、かつ真空吸着用の溝５０における溝の開放部分がＰＳ版２２で塞がれる状態で、ＰＳ版２２を内面ドラム３４の内周面上に十分に引き付けて保持できるような吸引力を真空吸着用の溝５０の長手方向全長に渡って作用させられる断面形状（例えば、図１０に示すように略断面Ｕ字状）に形成する。
【００４３】
また、この内面ドラム３４では、真空吸着用の溝５０によってＰＳ版２２を真空吸着したときに、ＰＳ版の搬送方向後端で真空吸着用の溝５０が開放されるため生じる真空リーク（大気圧に開放される）により真空吸着用の溝５０内の圧力が急激に上昇することになる。
【００４４】
このときＰＳ版２２では、真空引き穴５２から離れるほど、またＰＳ版２２の端に向かって真空吸着用の溝５０から離れるほど、ＰＳ版２２を内面ドラム３４の内周面に引きつけようとする真空吸着力が弱くなるため、ＰＳ版２２の搬送方向後端部、特に両角の隅部分が、内面ドラムの内周面から浮き上がり易くなる。
【００４５】
さらに、ＰＳ版２２を内面ドラム３４の内周面に引きつけようとする真空吸着力が弱くなると、ＰＳ版２２が肉厚の厚いアルミ板製であったり、ＰＳ版２２を長期に渡って保管したためにＰＳ版２２に曲がりのくせ（カール）が付いた場合には、ＰＳ版２２の弾性復帰力が強くなって、ＰＳ版２２を３４の内周面に引きつけようとする真空吸着力に勝りＰＳ版２２の一部を内面ドラム３４の内周面に密着させておくことができなくなって、ＰＳ版２２が浮いた状態となってしまうことがある。
【００４６】
そこで、このインナードラム露光装置１４では、内面ドラム３４の内周面上に真空吸着したＰＳ版２２の一部が浮き上がることを防止する手段（いわゆるコンフォーマンス対策のための手段）を設ける。
【００４７】
この内面ドラム３４の内周面上に真空吸着したＰＳ版２２の一部が浮き上がることを防止する手段は、例えば図５乃至図７に示すように、ＰＳ版２２を内面ドラム３４の内周面上にロードするためのプッシュバー３９に設けることができる。すなわち、この図５乃至図７に示すＰＳ版２２の浮き上がりを防止する手段では、プッシュバー３９に、ＰＳ版２２の搬送方向後端部の浮上防止装置を装着する。
【００４８】
この浮上防止装置は、押し操作手段としてのプッシュバー３９の所定位置に、側面逆Ｕ字状の操作アーム５６の基端部を軸着し、その自由端部にＰＳ版２２を押さえ付ける保持部材５８を設けて構成する。この保持部材５８には、例えば、ゴム等の可撓性材料で小矩形の平板状に形成したものを利用できる。
【００４９】
この浮上防止装置は、操作アーム５６を図示しないアクチェータ等の操作機構で操作することによって、図５に示す保持部材５８がＰＳ版２２の表面から離間した解除位置と、図７に示す保持部材５８がＰＳ版２２の端部（画像を形成しない範囲）を圧接した押さえ位置とに移動制御可能に構成する。
【００５０】
この図５乃至図７に示すＰＳ版２２の浮き上がりを防止する手段では、小型の保持部材５８を複数配置して浮上防止装置を構成する。
【００５１】
なお、この浮上防止装置付きのプッシュバー３９には、内面ドラム３４の中央側に向いた背面部（図５に向かってプッシュバー３９の上側に示す）に、搬入モジュール３５から導入されたＰＳ版２２に転接して、内面ドラム３４の内周面上へ向けてガイドするための搬送ローラ６０を装着する。
【００５２】
この図５乃至図７に示すＰＳ版２２の浮き上がりを防止する手段を具備するインナードラム露光装置１４では、次のような手順でＰＳ版２２を内面ドラム３４の内周面上にセットする。
【００５３】
まず、図１１（Ａ）に示すように、このインナードラム露光装置１４では、搬入モジュール３５によってＰＳ版２２が搬送ローラ６０にガイドされて内面ドラム３４の内周面上へ図１１（Ｂ）に示すように載置されるように導入する。
【００５４】
次に、図１１（Ｃ）に示すように、このインナードラム露光装置１４では、プッシュバー３９を移動操作することにより、ＰＳ版２２の搬送方向後端部にプッシュバー３９の搬送方向先端部を押し当てて、プッシュバー３９を内面ドラム３４の内周面に沿って図に矢印Ａで示す搬送方向へ移動し、ＰＳ版２２を位置決めピン４１側へ搬送する。
【００５５】
次に、上述のようにしてプッシュバー３９で搬送されたＰＳ版２２は、図４に示すように、その搬送方向先端部が位置決めピン４１に突き当てられるまで搬送されて位置決めされる。この後、インナードラム露光装置１４では、バルブ５４を開いてから真空ポンプを駆動し、真空引き穴５２を介して真空吸着用の溝５０内から空気を吸引することによって、真空吸着用の溝５０の開放部分を覆うように被さっているＰＳ版２２を内面ドラム３４の内周面上に引き付けて、図５に示すように、その位置決めされた位置がずれないように保持する。
【００５６】
次に、図６に示すように、プッシュバー３９を、矢印Ｂで示す搬送方向と逆方向へ所定距離引き戻し、保持部材５８の先端部がＰＳ版２２の搬送方向後端部の画像を記録しない部分の上方位置で停止させる。
【００５７】
次に、図７に示すように、操作アーム５６を駆動制御することにより保持部材５８を矢印Ｃで示すように内面ドラム３４の内周面上まで降下させＰＳ版２２の搬送方向後端部における画像を形成しない範囲（例えば画像の周りに設定する白枠等）に保持部材５８を圧接させることによりＰＳ版２２を内面ドラム３４の内周面上に押し当てて、ＰＳ版２２が全面に渡って内面ドラム３４の内周面上に密着した状態を保持する。
【００５８】
特に、図５乃至図７に示すＰＳ版２２の浮き上がりを防止する手段を具備するインナードラム露光装置１４では、ＰＳ版２２を内面ドラム３４の内側面上に真空吸着させたときに浮き上がりが顕著となるＰＳ版の搬送方向後端の両角隅部分を、それぞれ保持部材５８で内面ドラム３４の内周面上に押し当てるように構成すれば、ＰＳ版２２が部分的に内面ドラム３４の内周面から浮き上がることを防止する上で大きな効果が得られる。
【００５９】
さらに、この図５乃至図７に示すＰＳ版２２の浮き上がりを防止する手段を具備するインナードラム露光装置１４において、保持部材５８がＰＳ版２２の搬送方向後端部を内面ドラム３４の内周面上に押し当てた状態とし、かつ保持部材５８がＰＳ版２２の搬送方向後端部に続く真空吸着用の溝５０の開口部を部分的に塞ぐように構成した場合には、ＰＳ版２２の搬送方向後端から離れた位置から真空吸着用の溝５０内に空気が流入することになるので、ＰＳ版２２の搬送方向後端部分に作用する吸引力が弱まらず、ＰＳ版２２が全面に渡って内面ドラム３４の内周面上に密着した状態をより良く保持できる。また、このＰＳ版２２の浮き上がりを防止する手段は、任意のサイズのＰＳ版２２に対して適用できることは勿論である。
【００６０】
次に、ＰＳ版２２の浮き上がりを防止する手段を具備するインナードラム露光装置１４の他の構成例について、図８により説明する。
【００６１】
この図８に示すＰＳ版２２の浮き上がりを防止する手段を具備するインナードラム露光装置１４では、保持部材５８をＰＳ版２２の幅方向（搬送方向に直交する方向）全長以上に渡る一体構造の部材として構成する。
【００６２】
この図８に示す一体構造に構成された保持部材５８は、単数又は複数の操作アーム５６で移動操作するよう構成する。そして、この図８に示す一体構造に構成された保持部材５８は、内面ドラム３４の内周面上まで降下されＰＳ版２２の搬送方向後端部を内面ドラム３４の内周面上に押し当てる状態とされたとき、ＰＳ版２２の搬送方向後端辺の部分全部に渡って途切れなく押し当てるので、ＰＳ版２２の搬送方向後端部が全面的に内面ドラム３４の内周面から浮き上がることを防止する上で大きな効果が得られる。
【００６３】
次に、ＰＳ版２２の浮き上がりを防止する手段を具備するインナードラム露光装置１４の他の構成例について、図９により説明する。
【００６４】
この図９に示すＰＳ版２２の浮き上がりを防止する手段を具備するインナードラム露光装置１４では、保持部材５８を、ＰＳ版２２の幅方向（搬送方向に直交する方向）全長以上に渡りかつ搬送方向に所定の幅を持つ一体構造の平板状部材として構成する。
【００６５】
また、例えば保持部材５８を設けないでＰＳ版２２を真空吸着した際に搬送方向後端部で浮き上がり易い領域Ｅ（図９に３点鎖線で例示する浮き上がり易い領域Ｅ）は、ＰＳ版２２の搬送方向後端以降の真空吸着用の溝５０で真空リーク（大気圧に開放される）することにより真空吸着用の溝５０内の圧力が急激に上昇するために、真空引き穴５２から離れるほど、またＰＳ版２２の端に向かって真空引き穴５２から離れるほど、ＰＳ版２２を内面ドラム３４の内周面に引きつけようとする真空吸着力が弱くなるため生じるもので、ＰＳ版２２の搬送方向後端部、特に両角の隅部分で広く広がる傾向がある。
【００６６】
そこで、この図９に示すＰＳ版２２の浮き上がりを防止する手段を具備するインナードラム露光装置１４では、最大幅サイズのＰＳ版（図９に実線で示すＰＳ版２２は、最大幅サイズのＰＳ版と比較して、幅方向のサイズが小さいものである）の搬送方向後端に、これと同じ幅サイズに形成した保持部材５８を接続させた状態で真空吸着した際に、保持部材５８の搬送方向後端部で浮き上がり易い領域Ｅ（図９に想像線で例示する領域Ｅ）を実験等により測定して求めておき、保持部材５８を、この浮き上がり易い領域Ｅを含む以上の適切な大きさを持つ一体構造の平板状部材に構成する。
【００６７】
この図９に示す一体構造の平板状部材に構成された保持部材５８は、図示しないが単数又は複数の操作アーム５６で移動操作するよう構成する。
【００６８】
そして、この図９に示すＰＳ版２２の浮き上がりを防止する手段を具備するインナードラム露光装置１４では、操作アーム５６を駆動制御することにより保持部材５８を内面ドラム３４の内周面に当接するまで降下させ、ＰＳ版２２の搬送方向後端辺に保持部材５８の搬送方向先端辺が、その辺の全長に渡って密接するように押し当てるようにセットする。このようにセットすることによって、ＰＳ版２２は、その搬送方向の全長が、保持部材５８の大きさ分だけ連続して延長された状態となる。
【００６９】
よって、真空吸着された際に、一体に接続されたＰＳ版２２及び保持部材５８における、浮き上がり易い領域が、ＰＳ版２２から外れて保持部材５８の搬送方向後端部へ移行する。
【００７０】
このため、図９に示すＰＳ版２２の浮き上がりを防止する手段を具備するインナードラム露光装置１４では、真空吸着されたＰＳ版２２を、全面に渡って内面ドラム３４の内周面上に密着させた状態に保持することができる。
【００７１】
このように構成した場合には、保持部材５８がＰＳ版２２の上を覆うことが無いので、ＰＳ版２２の全表面を露光処理可能となるから、余白を作らないようにいわゆる淵無し画像を形成することができる。
【００７２】
なお、この図９に示すＰＳ版２２の浮き上がりを防止する手段を具備するインナードラム露光装置１４では、ＰＳ版２２を真空吸着した際、保持部材５８の浮き上がり易い領域Ｅの部分の吸引力が弱まるが、露光処理に関与しないので、何ら問題を生じない。
【００７３】
次に、ＰＳ版２２の浮き上がりを防止する手段を具備するインナードラム露光装置１４のさらに他の構成例について、図１０により説明する。
【００７４】
この図１０に示すＰＳ版２２の浮き上がりを防止する手段を具備するインナードラム露光装置１４では、ＰＳ版２２を真空吸着した際、ＰＳ版２２の搬送方向後端で露呈する真空吸着用の溝５０を閉塞部材６２で塞ぐことによって真空リークを防止して真空吸着用の溝５０内の空気を吸引することによって生じる吸引力を維持し、ＰＳ版２２を内面ドラム３４の内周面上に適切に保持可能とする。
【００７５】
この閉塞部材６２は、全体がゴム等の弾性材料で平面視略矩形状に形成されており、内面ドラム３４の内周面に密着される平面と、各真空吸着用の溝５０との間隙間が十分に小さくなるように嵌合する栓体部分を、櫛の歯状に突設して構成されている。
【００７６】
このように構成された閉塞部材６２は、長板状に形成された支持部材６４に貼着等の手段で取り付けられる。なお、内面ドラム３４の内周面に複数の領域に分布するよう真空吸着用の溝５０を配置する場合には、閉塞部材６２における複数の領域に対応した所定複数箇所にそれぞれ閉塞部材６２を配置する。
【００７７】
また、閉塞部材６２は、図示しないが、プッシュバー３９に装着した操作アーム５６の自由端部に取り付け、単数又は複数の操作アーム５６で移動操作するよう構成する。
【００７８】
そして、この図１０に示すＰＳ版２２の浮き上がりを防止する手段を具備するインナードラム露光装置１４では、操作アーム５６を駆動制御することにより、支持部材６４の平面部分を内面ドラム３４の内周面に密着させ、かつ支持部材６４の栓体部分を各真空吸着用の溝５０に隙間の無いように嵌合するようにセットする。さらにこのインナードラム露光装置１４では、支持部材６４の搬送方向先端辺がＰＳ版２２の搬送方向後端辺に気密を保つように密接するように構成する。
【００７９】
このように構成することによって、内面ドラム３４の内周面に設けられた真空吸着用の溝５０は、ＰＳ版２２と閉塞部材６２の栓体部分とによって、真空リークを防止される。よって、内面ドラム３４の内周面上に真空吸着されたＰＳ版２２は、全面に渡って内面ドラム３４の内周面上に密着させた状態に保持される。
【００８０】
さらにこのように構成した場合には、閉塞部材６２がＰＳ版２２の上を覆うことが無いので、ＰＳ版２２の全表面を露光処理可能となるから、余白を作らないようにいわゆる淵無し画像を形成することができる。
【００８１】
なお、前述したＰＳ版２２の浮き上がりを防止する各手段は、それぞれ任意のサイズのＰＳ版２２に対して適用できることは勿論である。
【００８２】
また、前述のように構成した前述したＰＳ版２２の浮き上がりを防止する各手段を備えたインナードラム露光装置１４では、露光処理を行うための光ビームの径を小さくして焦点深度が浅くなっても、ＰＳ版２２がその全面に渡ってドラムに適切に吸着され密着された状態を維持できるので、ビーム径の小さい走査用の光ビームで画像形成を行うことにより高精細な画像を形成することが可能になる。
【００８３】
さらに、前述した図９と図１０とに示す、ＰＳ版２２の浮き上がりを防止する手段は、それぞれプッシュバー３９に一体的に構成しても良い。
【図面の簡単な説明】
【００８４】
【図１】本発明の実施の形態に係わるインナードラム露光装置を搭載したＣＴＰ（Ｃｏｍｐｕｔｅｒ  ｔｏ  Ｐｌａｔｅ）システムの全体を示す斜視図である。
【図２】本発明の実施の形態に係わるインナードラム露光装置を搭載したＣＴＰシステム内部の全体的な概略構成図である。
【図３】本発明の実施の形態に係わるインナードラム露光装置の部分を取り出して示す要部の斜視図である。
【図４】本発明の実施の形態に係わるインナードラム露光装置の内面ドラムに設ける真空吸着用の溝部分の概略を示す概略正面図である。
【図５】本発明の実施の形態に係わるインナードラム露光装置の内面ドラムに設けるＰＳ版の一部が浮き上がることを防止する手段を備えたプッシュバーでＰＳ版を搬送する状態を示す要部概略説明図である。
【図６】本発明の実施の形態に係わるインナードラム露光装置の内面ドラムに設けるＰＳ版の一部が浮き上がることを防止する手段を備えたプッシュバーを引き戻す動作を示す要部概略説明図である。
【図７】本発明の実施の形態に係わるインナードラム露光装置の内面ドラムに設けるプッシュバーに設けたＰＳ版の一部が浮き上がることを防止する手段でＰＳ版を内周面上に押さえ付けた状態を示す要部概略説明図である。
【図８】本発明の実施の形態に係わるインナードラム露光装置の内面ドラムに設けるプッシュバーに設けたＰＳ版の一部が浮き上がることを防止する手段におけるＰＳ版の幅方向全長以上に渡る一体構造の保持部材で、ＰＳ版を内周面上に押さえ付けた状態を示す要部概略説明図である。
【図９】本発明の実施の形態に係わるインナードラム露光装置の内面ドラムに設けるプッシュバーに設けたＰＳ版の一部が浮き上がることを防止する手段における搬送方向に所定の幅を持つ一体構造の保持部材で、ＰＳ版を内周面上に押さえ付けた状態を示す要部概略説明図である。
【図１０】本発明の実施の形態に係わるインナードラム露光装置の内面ドラムに設けるプッシュバーに設けたＰＳ版の一部が浮き上がることを防止する手段における閉塞部材で、真空吸着されたＰＳ版の搬送方向後端で、真空吸着用の溝を閉塞する状態を示す要部概略説明図である。
【図１１】（Ａ）（Ｂ）（Ｃ）は、それぞれ本発明の実施の形態に係わるインナードラム露光装置の内面ドラムに設けたプッシュバーでＰＳ版を搬送する状態を示す要部概略説明図である。
【符号の説明】
【００８５】
１４  インナードラム露光装置
３４  内面ドラム
３５  搬入モジュール
３６  スピナーミラー装置
３９  プッシュバー
４３  搬出モジュール
５０  真空吸着用の溝
５２  真空引き穴
５４  バルブ
５６  操作アーム
５８  保持部材
６２  閉塞部材
６４  支持部材
【図１】
2006227509.tif 000003
【図２】
2006227509.tif 000004
【図３】
2006227509.tif 000005
【図４】
2006227509.tif 000006
【図５】
2006227509.tif 000007
【図６】
2006227509.tif 000008
【図７】
2006227509.tif 000009
【図８】
2006227509.tif 000010
【図９】
2006227509.tif 000011
【図１０】
2006227509.tif 000012
【図１１】
2006227509.tif 000013